(57)【要約】【課題】  複数階層の建築物において、上下方向に連通する縦穴空間を有効利用するとともに、この縦穴空間内における作業の効率化を図る。【解決手段】  縦穴開口２０を閉塞する閉塞部材４０を、吊り足場１０の高さに応じた所定階数分だけ上方へ移動する工程と、最下段に位置する閉塞部材４０の下面に、吊下装置５０を取り付ける工程と、吊下装置５０により吊り足場１０を吊り下げて、最下段に位置する閉塞部材４０の下面から所定階数に亘って吊り足場１０を設置する工程と、吊り足場１０を用いて縦穴開口２０の周囲に壁部材６０を設置する工程とを含む。【選択図】図１
2017193822.tif 000002
【特許請求の範囲】
【請求項１】
複数階層の建築物において、上下方向に連通する縦穴空間内に吊り足場を設置するための方法であって、
縦穴空間を閉塞する閉塞部材を、吊り足場の高さに応じた所定階数分だけ上方へ移動する工程と、
最下段に位置する閉塞部材の下面に、吊下装置を取り付ける工程と、
前記吊下装置により吊り足場を吊り下げて、前記最下段に位置する閉塞部材の下面から前記所定階数に亘って吊り足場を設置する工程と、
前記吊り足場を用いて前記縦穴空間の周囲に壁部材を設置する工程と、
を含むことを特徴とする吊り足場の設置方法。
【請求項２】
前記吊り足場は、その上部に設置したステージから吊り下げる、
ことを特徴とする請求項１に記載の吊り足場の設置方法。
【請求項３】
最上層の天井部を閉塞した後、
前記ステージが前記吊り足場の高さに応じた所定階数分よりも下層の階に達すると、前記吊り足場を解体する工程と、
前記ステージを所定階数だけ下降させる工程と、
前記ステージ上に足場を組み立てて設置する工程と、
前記最上階において、前記足場を避けて、当該最上階の床部と略同一高さとなるように仮受架台を設置するとともに、当該最上階の天井部と前記仮受架台との間に支保工を設置する工程と、
前記最上階よりも所定階数分だけ下の階層において、前記足場を用いて前記縦穴空間の周囲に壁部材を設置する工程と、
前記支保工を撤去して、前記最上階において、前記縦穴空間の周囲に壁部材を設置する工程と、
前記足場を解体する工程と、
前記ステージを前記最上階の天井部から吊り下げて解体する工程と、
を含むことを特徴とする請求項２に記載の吊り足場の設置方法。
【発明の詳細な説明】
【技術分野】
【０００１】
本発明は、吊り足場の設置方法に関するものであり、本設エレベータ等が設置される縦穴空間を有効利用するための方法であり、例えば、物資（内装仕上材全般）の運搬や、縦穴空間を塞ぐ壁の施工を行う際に、これらの機能と足場機能とを融合させた吊り足場を、縦穴空間内に効率よく設置するための方法に関するものである。
【背景技術】
【０００２】
高層建築物には、本設エレベータ等を設置するために、上下方向に連通する縦穴空間が設けられている。この縦穴空間は、本来、本設エレベータ等を設置するための空間であるが、物資の運搬や供給に利用することにより作業工程を効率化することができるため、上下移動可能なステージを設置することがある。また、縦穴空間には壁を立ち上げて、筒状の構造物とする必要があり、建築物の施工工程において壁部材を構築する。この際、作業者が縦穴空間の内部に入って作業をする必要があり、通常、作業を行うための足場を設けている。このような足場は、上方から吊り下げて使用するため、吊り足場と称されており、建築物の施工だけではなく、道路や橋桁の補修・点検にも使用されている（例えば、特許文献１参照）。
【０００３】
特許文献１に記載された吊り足場の構築方法は、吊り足場を構築するために、まず、ベースに対して左右の親パイプを、足場構築方向前方の中空領域に対してほぞ先が向かうようにして固定配置する。この際、ほぞ寄りに形成したクランプ装置が上方に配置されるようにする。そして、親パイプを吊り下げチェーンで吊り下げて支持する。次いで、クランプ装置を用いて、ころばしパイプを固定配置して、ベース側に待機中の足場板を進出させて、その先端寄りをころばしパイプ上に架設する。この一連の作業を繰り返すことにより、吊り足場を進出させていく。
【先行技術文献】
【特許文献】
【０００４】
【特許文献１】特開２０１６−１７３２９号公報
【発明の概要】
【発明が解決しようとする課題】
【０００５】
上述したように、道路や橋桁等から吊り下げて使用する吊り足場については種々の工夫がなされているが、住居やオフィス等に使用する建築物の構築に使用する吊り足場については、作業の効率化を図るための工夫がなされていないのが現状である。特に、高層建築物では、足場の重量や強度に制約があるため、下層階から上層階まで連続する足場を用いることは現実的ではない。
【０００６】
また、各階層の縦穴開口には、これを閉塞するための閉塞部材やステージが設置されるが、閉塞部材やステージは作業の進行に伴い上下方向に移動させて使用する部材である。このため、閉塞部材やステージを有効利用するとともに、作業手順を見直すことにより、縦穴空間の周囲に設置する壁部材の施工等、縦穴空間における作業をさらに効率良く行うことができる。
【０００７】
本発明に係る吊り足場の設置方法は、上述した事情に鑑み提案されたもので、複数階層の建築物において、上下方向に連通する縦穴空間を有効利用するとともに、この縦穴空間内における作業の効率化を図ることが可能な吊り足場の設置方法を提供することを目的とする。
【課題を解決するための手段】
【０００８】
本発明に係る吊り足場の設置方法は、上述した目的を達成するため、以下の特徴点を有している。すなわち、本発明に係る吊り足場の設置方法は、複数階層の建築物において、上下方向に連通する縦穴空間内に吊り足場を設置するための方法であって、縦穴開口を閉塞する閉塞部材を、吊り足場の高さに応じた所定階数分だけ上方へ移動する工程と、最下段に位置する閉塞部材の下面に、吊下装置を取り付ける工程と、吊下装置により吊り足場を吊り下げて、最下段に位置する閉塞部材の下面から所定階数に亘って吊り足場を設置する工程と、吊り足場を用いて縦穴空間の周囲に壁部材を設置する工程とを含むことを特徴とするものである。
【０００９】
また、上述した吊り足場は、その上部に設置したステージから吊り下げることが可能である。そして、ステージを設置した場合に、最上層の天井部を閉塞した後、ステージが吊り足場の高さに応じた所定階数分よりも下層の階に達すると、吊り足場を解体する工程と、ステージを所定階数だけ下降させる工程と、ステージ上に足場を組み立てて設置する工程と、最上階において、足場を避けて、当該最上階の床部と略同一高さとなるように仮受架台を設置するとともに、当該最上階の天井部と仮受架台との間に支保工を設置する工程と、最上階よりも所定階数分だけ下の階層において、足場を用いて縦穴空間の周囲に壁部材を設置する工程と、支保工を撤去するとともに、最上階において、縦穴空間の周囲に壁部材を設置する工程と、足場を解体する工程と、ステージを最上階の天井部から吊り下げて解体する工程とを含ませることが可能である。
【発明の効果】
【００１０】
本発明に係る吊り足場の設置方法によれば、複数階層の建築物において、各階層の構築状態に応じて、縦穴空間を有効利用することができるだけではなく、適切な時期及び手順で吊り足場を設置することができるので、効率良い作業の段取りを行うことが可能となる。このため、作業効率が向上するだけではなく、これに伴い施工品質も向上し、さらに施工費用を低減することが可能となる。
【図面の簡単な説明】
【００１１】
【図１】本発明の実施形態に係る吊り足場の設置方法の手順を示す模式図。
【図２】本発明の実施形態に係る吊り足場の設置方法におけるステージの解体手順を示す模式図（１）。
【図３】本発明の実施形態に係る吊り足場の設置方法におけるステージの解体手順を示す模式図（２）。
【発明を実施するための形態】
【００１２】
以下、図面を参照して、本発明の実施形態に係る吊り足場の設置方法を説明する。図１〜図３は本発明の実施形態に係る吊り足場の設置方法を説明するもので、図１は吊り足場の設置手順を示す模式図、図２及び図３はステージの解体手順を示す模式図である。なお、図１〜図３は模式図であるため、説明に必要な部材のみを図示し、説明に不要な部材は図示していない。また、Ｎ及びこれに続く数字は階層を表している。すなわち、Ｎ階を基準の階として、Ｎ＋１階はＮ階よりも１階上層の階、Ｎ−１階はＮ階よりも１階下層の階である。
【００１３】
＜吊り足場の設置方法の概要＞
複数階層の建築物において、各階層に形成する縦穴開口（例えば、エレベータ開口）により形成される縦穴空間は、先行揚重資材の投入口として使用するのが一般的である。このような縦穴空間には、その周囲に壁部材（例えば、ＡＬＣパネル）を建て込んだり、シール作業を行ったり、エレベータレールの受け鉄骨を設置したりするため、足場が必要となる。本発明で使用する吊り足場は、縦穴空間内において作業を行うために使用する足場である。
【００１４】
本発明の実施形態に係る吊り足場１０の設置方法は、図１〜図３に示すように、複数階層の建築物において、縦穴開口２０により形成され、上下方向に連通する縦穴空間を有効利用するとともに、この縦穴空間内における作業の効率化を図るための方法であり、特に高層建築物に適用することにより、作業効率を向上させることができる。高層建築物には、エレベータの設置、物資の運搬、配管の収納等のために、各階層において縦穴開口２０（例えば、エレベータ開口、ＯＡ開口）が設けられている。これらの縦穴開口２０により形成される縦穴空間は、建築物の完成時に上下方向に連通する筒状の構造物（本設エレベータ設置部）となり、あるいは、床面や天井部として塞がれる。
【００１５】
本実施形態の吊り足場１０は、荷取場等に使用するステージ３０から吊り下げる場合と、このようなステージ３０を設けずに、上層階の縦穴開口２０を閉塞する閉塞部材４０から吊り下げる場合とがある。また、吊り足場１０をステージ３０から吊り下げる場合に、最上階よりも所定階数だけ下層まで壁部の構築が進行して、最上階の天井部が閉塞されると、吊り足場１０による作業を終了して、ステージ３０上に足場を組んで作業を行い、その後、ステージ３０を解体する必要があり、この際の工程についても特徴を有している。
【００１６】
＜吊り足場の設置＞
図１を参照して、吊り足場１０の設置手順を説明する。本実施形態に係る吊り足場１０の設置方法は、下層階から上層階に向かってＰＣａ工法等により建築物を構築して行く工程で、所定階数分（例えば、２階分）の吊り足場１０を設置する際に用いる方法である。この際、吊り足場１０を設置する縦穴空間（縦穴開口２０）には、上層の各階において、作業者の転落や部材の落下等を防止するため、閉塞部材４０で閉塞されている（図１（ａ））。なお、吊り足場１０をステージ３０から吊り下げる場合には、ステージ３０が閉塞部材４０として機能する。
【００１７】
この状態で、まず初めに、縦穴開口２０を閉塞する閉塞部材４０を、吊り足場１０の高さに応じた所定階数分だけ上方へ移動する（図１（ｂ））。次いで、最下段に位置する閉塞部材４０の下面に、吊下装置５０を取り付ける。吊下装置５０は、例えば、ウインチ等からなる。そして、吊下装置５０により吊り足場１０を吊り下げて、最下段に位置する閉塞部材４０の下面から所定階数に亘って吊り足場１０を設置する（図１（ｃ））。
【００１８】
吊り足場１０を設置したら、この吊り足場１０を用いて縦穴空間（縦穴開口２０）の周囲に壁部材６０を設置する（図１（ｄ））。これにより、吊り足場１０を設置した階数分だけ、縦穴空間（縦穴開口２０）の内側から筒状の壁部材６０を構築することができる。そして、上層階の構築に合わせて、順次、上述した各工程を繰り返して実施することにより、上下方向に連通する縦穴空間（縦穴開口２０）を囲うように壁部材６０を構築して、エレベータ設置部等とすることができる。
【００１９】
＜ステージの解体＞
図２及び図３を参照して、ステージ３０の解体手順を説明する。吊り足場１０の上部にステージ３０を設けた場合には、最上階よりも所定階数だけ下層まで壁部の構築（壁部材６０の施工）が進行して、最上階の天井部７０が閉塞される（オーバーヘッドのスラブを設ける）と、吊り足場１０による作業を終了し、以降の作業は、ステージ３０上に組み立てた足場８０を用いて行う。
【００２０】
すなわち、ステージ３０が吊り足場１０の高さに応じた所定階数分よりも下層の階に達すると（図２（ａ））、吊り足場１０を解体する（図２（ｂ））。次いで、ステージ３０を所定階数だけ下降させ（図２（ｃ））、ステージ３０上に足場８０を組み立てて設置する（図２（ｄ））。
【００２１】
ステージ３０上に足場８０が出来上がると、最上階において、足場８０を避けて床部と略同一高さとなるように仮受架台９０を設置し、天井部７０と仮受架台９０との間に支保工１００を設置して（図３（ａ））、最上階よりも所定階数分だけ下の階層において、足場８０を用いて縦穴開口２０の周囲に壁部材６０を設置する（図３（ｂ））。次いで、仮受架台９０及び支保工１００を撤去して、最上階において、縦穴開口２０の周囲に壁部材６０を設置する（図３（ｃ））。
【００２２】
最上階まで壁部材６０を設置すると、足場８０を解体して、ステージ３０を最上階の天井部７０からワイヤー１１０等により吊り下げて解体する（図３（ｄ））。解体したステージ３０は、クレーン等により所定位置まで吊り下げて撤去する。
【符号の説明】
【００２３】
１０  吊り足場
２０  縦穴開口
３０  ステージ
４０  閉塞部材
５０  吊下装置
６０  壁部材
７０  天井部
８０  足場
９０  仮受架台
１００  支保工
【図１】
2017193822.tif 000003
【図２】
2017193822.tif 000004
【図３】
2017193822.tif 000005